(57)【要約】【課題】携帯端末装置の着信の誤検出率と検出見逃し率を低減し、携帯端末装置の待ち受け時の消費電力の低減と着信待ち時間の短縮を可能とする無線通信システムを提供すること。【解決手段】変調信号を送信する無線アクセスネットワーク１００と、送信された変調信号を受信する帯端末装置１５０とを有する。無線アクセスネットワーク１００は、ＰＩを生成するＰＩ生成部１０１と、付加ＰＩを生成する付加ＰＩ生成部１０２と、ＰＩと付加ＰＩを多重化する多重化部１０６と、多重化した信号を変調して送信する変調送信部１０７と、アンテナ１０８とを有する。帯端末装置１５０は、アンテナ１５１と、送信された変調信号を受信して復調する受信復調部１５２と、変調した信号からＰＩと付加ＰＩを分離する多重分離部１５３と、受信したＰＩ及び付加ＰＩから着信の有無を判定する着信判定部１５９とを有する。【選択図】図１
2006304143.tif 000002
【特許請求の範囲】
【請求項１】
変調信号を送信する無線アクセスネットワークと、
前記無線アクセスネットワークから送信された前記変調信号を受信する携帯端末装置と、を有し、
前記無線アクセスネットワークが、
ページングインジケータを生成するページングインジケータ生成手段と、
付加ページングインジケータを生成する付加ページングインジケータ生成手段と、
前記ページングインジケータと前記付加ページングインジケータを多重化する多重化手段と、
前記多重化手段で多重化した信号を変調して送信する変調送信手段と、を有し、
前記携帯端末装置が、
前記変調送信手段から送信された変調信号を受信して復調する受信復調手段と、
前記受信復調手段で復調した信号から前記ページングインジケータと前記付加ページングインジケータとを分離する多重分離手段と、
前記ページングインジケータと前記付加ページングインジケータとから着信の有無を判定する着信判定手段と、を有する
ことを特徴とする無線通信システム。
【請求項２】
送信された変調信号を受信して復調する受信復調手段と、
前記受信復調手段で復調した信号からページングインジケータと付加ページングインジケータとを分離する多重分離手段と、
前記ページングインジケータと前記付加ページングインジケータとから着信の有無を判定する着信判定手段と、を有する
ことを特徴とする携帯端末装置。
【請求項３】
前記付加ページングインジケータとして、
前記ページングインジケータと同一の符号を使用する
ことを特徴とする請求項２記載の携帯端末装置。
【請求項４】
前記付加ページングインジケータとして、
ページングインジケータチャネルのフレームの末尾の１２ビットを使用する
ことを特徴とする請求項２又は請求項３記載の携帯端末装置。
【請求項５】
前記付加ページングインジケータの適用対象を前記携帯端末装置のうち前記ページングインジケータチャネル内の特定の位置のページングインジケータ群に属する携帯端末装置とする
ことを特徴とする請求項２乃至請求項４のいずれかに記載の携帯端末装置。
【請求項６】
前記付加ページングインジケータの適用対象を前記携帯端末装置のうち特定のページングインジケータ群に属する携帯端末装置とする
ことを特徴とする請求項２乃至請求項４のいずれかに記載の携帯端末装置。
【請求項７】
前記ページングインジケータの受信品質を測定する受信品質測定手段と、
前記受信品質測定手段で測定した前記受信品質に基づいて前記付加ページングインジケータの適用の申請をする付加ページングインジケータ使用申請信号生成手段と、を有する
ことを特徴とする請求項２乃至請求項６のいずれかに記載の携帯端末装置。
【請求項８】
前記ページングインジケータの受信品質を測定する受信品質測定手段と、
前記受信品質測定手段で測定した前記受信品質に基づいて前記付加ページングインジケータを用いるかどうかの判断をする付加ページングインジケータ受信判断手段と、を有する
ことを特徴とする請求項２乃至請求項７のいずれかに記載の携帯端末装置。
【請求項９】
ページングインジケータを生成するページングインジケータ生成手段と、
付加ページングインジケータを生成する付加ページングインジケータ生成手段と、
前記ページングインジケータと前記付加ページングインジケータを多重化する多重化手段と、
前記多重化手段で多重化した信号を変調して送信する変調送信手段と、を有する
ことを特徴とする無線アクセスネットワーク。
【請求項１０】
請求項２乃至請求項８のいずれかに記載の携帯端末装置に対して通知する前記付加ページングインジケータ不使用又は前記付加ページングインジケータの適用対象を決定する付加ページングインジケータ適用対象信号生成手段を有する
ことを特徴とする請求項９記載の無線アクセスネットワーク。
【請求項１１】
前記ページングインジケータの着信率を測定する着信率測定手段と、
前記着信率測定手段で測定した前記着信率に基づいて前記付加ページングインジケータ不使用又は前記付加ページングインジケータの適用対象を決定する付加ページングインジケータ適用対象信号生成手段と、を有する
ことを特徴とする請求項９又は請求項１０記載の無線アクセスネットワーク。
【請求項１２】
変調信号を受信して復調し、
復調した信号からページングインジケータと付加ページングインジケータとを分離し、
分離した前記ページングインジケータと前記付加ページングインジケータとから着信の有無を判定する
ことを特徴とする着信判定方法。
【請求項１３】
ページングインジケータと付加ページングインジケータを生成し、
生成した前記ページングインジケータと前記付加ページングインジケータを多重化し、
多重化した信号を変調して送信することによって着信を通知する
ことを特徴とする着信通知方法。
【発明の詳細な説明】
【技術分野】
【０００１】
本発明は、ページングインジケータチャネルを用いて着信判定を行う無線通信システム、無線アクセスネットワーク、携帯端末装置、着信通知方法、及び着信判定方法に関するものである。
【背景技術】
【０００２】
無線アクセスネットワーク（Ｒａｄｉｏ  Ａｃｃｅｓｓ  Ｎｅｔｗｏｒｋ、以下「ＲＡＮ」という）と携帯端末装置（Ｕｓｅｒ  Ｅｑｕｉｐｍｅｎｔ、以下「ＵＥ」という）を有する無線通信システムにおいて、携帯端末装置の待ち受け時に無線アクセスネットワークから送られてくる信号を必要な時だけ受信すること（以下「間欠受信」という）によって省電力化を図る技術がある。
【０００３】
例えば、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式の無線通信システムにおいては、待ち受け中の携帯端末装置の省電力化を図るためにページングインジケータチャネル（Ｐａｇｉｎｇ  Ｉｎｄｉｃｔｏｒ  Ｃｈａｎｎｅｌ、以下「ＰＩＣＨ」という）を使用した間欠受信を行う。ＰＩＣＨには、特定の携帯端末装置の集合であるページングインジケータ群（以下「ＰＩ群」という）に対してのみ着信の有無を通知するためのページングインジケータ（Ｐａｇｉｎｇ  Ｉｎｄｉｃａｔｏｒ、以下「ＰＩ」という）が格納されている。待ち受け中の携帯端末装置は通常このＰＩのみを受信する。ＰＩは着信の有無の短い情報だけなので、短時間の受信で済む。ＰＩを受信した携帯端末装置は、そのＰＩ群あての着信があることを知らされた場合のみ、そのＰＩに対応するＳ−ＣＣＰＣＨ（Ｓｅｃｏｎｄａｒｙ−Ｃｏｍｍｏｎ  Ｃｏｎｔｒｏｌ  Ｐｈｙｓｉｃａｌ  Ｃｈａｎｎｅｌ）上にマッピングされたページングチャネル（Ｐａｇｉｎｇ  Ｃｈａｎｎｅｌ、以下「ＰＣＨ」という）を受信し、その携帯端末装置あての着信の有無の判定と着信情報の取得をする。ＰＩは複数の群に分けられており、１つのＰＩ群あたりの着信頻度を少なくできるので、待ち受け中の携帯端末装置はほとんどの場合、短いＰＩのみ受信すればよく、長いＰＣＨを受信する頻度は少なくて済む。
【０００４】
図１５にＰＩＣＨのフレーム構成図を示す。図１５に示すように、ＰＩがマッピングされるフレームの間欠受信周期は、ＤＲＸサイクルレングス（ＤＲＸ  ｃｙｃｌｅｓ  ｌｅｎｇｔｈ）として無線アクセスネットワークからの報知情報により指定される。１ＤＲＸサイクルレングスは２kフレームの長さで、ｋ＝６〜９の整数である。ＰＩの１フレームは、１０ｍｓの時間長で、３００ビットが格納されており、そのうちの先頭から２８８ビットまでに群分け数ＮP個の群のＰＩを構成している。末尾の１２ビットは未使用であり、送信されない。１フレーム内の群分け数ＮPは１８、３６、７２、１４４のいずれかである。待ち受け中の携帯端末装置は、ほとんどの場合、所定の間欠受信周期、すなわち１ＤＲＸサイクルレングス毎に、フレーム内の無線アクセスネットワークから指定された特定のＰＩ群あてのビット列（例えばＰ0、Ｐ1、Ｐ2、Ｐ3、・・・、Ｐq、・・・、ＰNp-1のいずれかのＰＩ）のみ受信すればよい。
【０００５】
ＰＩを用いた具体的な着信通知方法と着信判定方法は以下の通りである。
【０００６】
まず、無線アクセスネットワークは、着信なしのときに正の値のビットを有するＰＩを送信し、着信ありのときに負の値のビットを有するＰＩを送信することによって、着信の有無を携帯端末装置に通知する。携帯端末装置は、所定の間欠受信周期毎にＰＩの受信を行い、図１６に示すように、復調処理を行い、復調信号のＩ成分とＱ成分を得る。このＩ成分とＱ成分はＰＩのビットに相当する。次にそれぞれの成分を加算（同相加算）し（各々加算した値をそれぞれＩPIとＱPIとする）、ＩPI＋ＱPIの値を閾値と比較することによって着信の有無の判定を行う。例えば、閾値を零として、ＩPI＋ＱPIの値が零又は正（ＩPI＋ＱPI≧０）のとき着信なし、負（ＩPI＋ＱPI＜０）のとき着信ありと判定する。
【０００７】
各携帯端末装置は、着信ありと判定した場合にのみ、さらに前述のようなＰＣＨの受信を行う。さらに、ＰＣＨにこの携帯端末装置宛てのページング情報があるときは、基地局と各種の制御情報を交換して接続状態に移行する。
【０００８】
逆に、着信なしと判定した場合には、次回のＰＩＣＨの受信まで無線部やアプリケーション用ＣＰＵ等の携帯端末装置内の不要な部分への電力の供給を停止し、待ち受け時の消費電力の低減を図る。
【０００９】
このように、ＰＩを用いた間欠受信を行うことによって、携帯端末装置の省電力化を図ることができる（たとえば、非特許文献１参照）。
【非特許文献１】立川敬二監修「Ｗ−ＣＤＭＡ移動通信方式」丸善株式会社、平成１３年（２００１年）６月２５日、Ｐ．１１４−１１５及びＰ．２２２−２２３
【発明の開示】
【発明が解決しようとする課題】
【００１０】
しかしながら、携帯端末装置が受信する信号には、前述のＰＩのような希望波信号の他に雑音信号が重なるため、各携帯端末装置がおかれた電波伝播環境によっては、受信品質の指標である受信する信号の雑音信号の電力に対する希望波信号の電力の比ＥC／Ｎ0が小さい場合があり、そのような場合には、非特許文献１の無線通信システムにおいては、携帯端末装置が着信の有無の判定を誤る確率が高くなるので、誤検出率と検出見逃し率が大きくなり、その結果、待ち受け時の消費電力が増大し、着信待ち時間が長期化するという課題があった。
【００１１】
本発明は、携帯端末装置の着信の誤検出率と検出見逃し率を低減し、それによって待ち受け時の消費電力の低減と着信待ち時間の短縮を実現する無線通信システム、無線アクセスネットワーク、携帯端末装置、着信通知方法及び着信判定方法を提供するものである。
【課題を解決するための手段】
【００１２】
前記従来の課題を解決するため、本発明の無線通信システムは、変調信号を送信する無線アクセスネットワークと、無線アクセスネットワークから送信された変調信号を受信する携帯端末装置とを有し、無線アクセスネットワークが、ページングインジケータを生成するページングインジケータ生成手段と、付加ページングインジケータを生成する付加ページングインジケータ生成手段と、ページングインジケータと付加ページングインジケータを多重化する多重化手段と、多重化手段で多重化した信号を変調して送信する変調送信手段とを有し、携帯端末装置が、送信された変調信号を受信して復調する受信復調手段と、受信復調手段で復調した信号からページングインジケータと付加ページングインジケータとを分離する多重分離手段と、ページングインジケータと付加ページングインジケータとから着信の有無を判定する着信判定手段とを有する。
【００１３】
このような構成によって、携帯端末装置の着信の誤検出率と検出見逃し率を低減し、それによって携帯端末装置の待ち受け時の消費電力の低減と着信待ち時間の短縮をする無線通信システムを実現することができる。
【００１４】
さらに本発明の携帯端末装置は、送信された変調信号を受信して復調する受信復調手段と、受信復調手段で復調した信号からページングインジケータと付加ページングインジケータとを分離する多重分離手段と、ページングインジケータと付加ページングインジケータとから着信の有無を判定する着信判定手段とを有する。
【００１５】
このような構成によって、着信の誤検出率と検出見逃し率を低減し、それによって待ち受け時の消費電力の低減と着信待ち時間の短縮をする携帯端末装置を実現することができる。
【００１６】
さらに本発明の携帯端末装置は、付加ページングインジケータとして、ページングインジケータと同一の符号を使用する。
【００１７】
このような構成によって、付加ページングインジケータの生成を簡単化することができる。
【００１８】
さらに本発明の携帯端末装置は、付加ページングインジケータとして、ページングインジケータチャネルのフレームの末尾の１２ビットを使用する。
【００１９】
このような構成によって、Ｗ−ＣＤＭＡ方式において、着信の誤検出率と検出見逃し率を低減し、それによって待ち受け時の消費電力の低減と着信待ち時間の短縮をする携帯端末装置を実現することができる。
【００２０】
さらに本発明の携帯端末装置は、付加ページングインジケータの適用対象を携帯端末装置のうちページングインジケータチャネル内の特定の位置のページングインジケータ群に属する携帯端末装置とする。
【００２１】
このような構成によって、無線アクセスネットワークと携帯端末装置との間の信号のやり取りを追加せずに、着信の誤検出率と検出見逃し率を低減し、それによって待ち受け時の消費電力の低減と着信待ち時間の短縮をする携帯端末装置を実現することができる。
【００２２】
さらに本発明の携帯端末装置は、付加ページングインジケータの適用対象を携帯端末装置のうち特定のページングインジケータ群に属する携帯端末装置とすることを特徴とする。
【００２３】
このような構成によって、特定の携帯端末装置について、着信の誤検出率と検出見逃し率を低減し、それによって待ち受け時の消費電力の低減と着信待ち時間の短縮をする携帯端末装置を実現することができる。
【００２４】
さらに本発明の携帯端末装置は、ページングインジケータの受信品質を測定する受信品質測定手段と、受信品質測定手段で測定した受信品質に基づいて付加ページングインジケータの適用の申請をする付加ページングインジケータ使用申請信号生成手段とを有する。
【００２５】
このような構成によって、受信品質の最も悪い特定の携帯端末装置について、着信の誤検出率と検出見逃し率を低減し、それによって待ち受け時の消費電力の低減と着信待ち時間の短縮をする携帯端末装置を実現することができる。
【００２６】
さらに本発明の携帯端末装置は、ページングインジケータの受信品質を測定する受信品質測定手段と、受信品質測定手段で測定した受信品質に基づいて付加ページングインジケータを用いるかどうかの判断をする付加ページングインジケータ受信判断手段とを有する。
【００２７】
このような構成によって、必要なときのみ付加ページングインジケータを用いることができ、着信の誤検出率と検出見逃し率をさらに低減し、それによってさらなる待ち受け時の消費電力の低減と着信待ち時間の短縮をする携帯端末装置を実現することができる。
【００２８】
さらに本発明の無線アクセスネットワークは、ページングインジケータを生成するページングインジケータ生成手段と、付加ページングインジケータを生成する付加ページングインジケータ生成手段と、ページングインジケータと付加ページングインジケータを多重化する多重化手段と、多重化手段で多重化した信号を変調して送信する変調送信手段とを有する。
【００２９】
このような構成によって、携帯端末装置の着信の誤検出率と検出見逃し率を低減し、それによって待ち受け時の消費電力の低減と着信待ち時間の短縮をする無線アクセスネットワークを実現することができる。
【００３０】
さらに本発明の無線アクセスネットワークは、携帯端末装置に対して通知する付加ページングインジケータ不使用又は付加ページングインジケータの適用対象を決定する付加ページングインジケータ適用対象信号生成手段を有する。
【００３１】
このような構成によって、特定の携帯端末装置について、携帯端末装置の着信の誤検出率と検出見逃し率を低減し、それによって待ち受け時の消費電力の低減と着信待ち時間の短縮をする無線アクセスネットワークを実現することができる。
【００３２】
さらに本発明の無線アクセスネットワークは、ページングインジケータの着信率を測定する着信率測定手段と、着信率測定手段で測定した着信率に基づいて付加ページングインジケータ不使用又は付加ページングインジケータの適用対象を決定する付加ページングインジケータ適用対象信号生成手段とを有する。
【００３３】
このような構成によって、着信率の最も悪い特定の携帯端末装置について、携帯端末装置の着信の誤検出率と検出見逃し率を低減し、それによって待ち受け時の消費電力の低減と着信待ち時間の短縮をする無線アクセスネットワークを実現することができる。
【００３４】
さらに本発明の着信判定方法は、変調信号を受信して復調し、復調した信号からページングインジケータと付加ページングインジケータとを分離し、分離したページングインジケータと付加ページングインジケータとから着信の有無を判定する。
【００３５】
このような構成によって、携帯端末装置の着信の誤検出率と検出見逃し率を低減し、それによって待ち受け時の消費電力の低減と着信待ち時間の短縮をする着信判定方法を実現することができる。
【００３６】
さらに本発明の着信通知方法は、ページングインジケータと付加ページングインジケータを生成し、生成したページングインジケータと付加ページングインジケータを多重化し、多重化した信号から変調信号を生成して送信する。
【００３７】
このような構成によって、携帯端末装置の着信の誤検出率と検出見逃し率を低減し、これによって待ち受け時の消費電力の低減と着信待ち時間の短縮をする着信通知方法を実現することができる。
【発明の効果】
【００３８】
本発明によれば、携帯端末装置の着信の誤検出率と検出見逃し率を低減し、それによって携帯端末装置の待ち受け時の消費電力の低減と着信待ち時間の短縮をするという効果を有する無線通信システムが得られる。
【発明を実施するための最良の形態】
【００３９】
以下に、本発明の実施の形態について、図面を参照しながら説明する。
【００４０】
（実施の形態１）
本実施の形態１では、Ｗ−ＣＤＭＡ方式において、携帯端末装置のうちＰＩＣＨ内の特定の位置のＰＩ群に属する携帯端末装置を付加ページングインジケータ（以下「付加ＰＩ」という）の適用対象とする無線通信システムについて説明する。
【００４１】
はじめに本実施の形態１における無線通信システムの構成について、図１に示すブロック図を用いて説明する。
【００４２】
図１に示すように、本実施の形態１における無線通信システムは、変調信号を送信する無線アクセスネットワーク１００と、無線アクセスネットワーク１００から送信された変調信号を受信する携帯端末装置１５０とを有する。ここで、一つの無線アクセスネットワーク１００に対して、一つ以上の携帯端末装置１５０が存在しているものとする。
【００４３】
無線アクセスネットワーク１００は、ＰＩを生成するページングインジケータ生成部（以下「ＰＩ生成部」という）１０１と、付加ＰＩを生成する付加ページングインジケータ生成部（以下「付加ＰＩ生成部」という）１０２と、その他の信号を生成する他信号生成部１０３と、ＰＩ、付加ＰＩ及びその他の信号を多重化する多重化部１０６と、多重化部１０６で多重化した信号を変調して変調信号を送信する変調送信部１０７と、アンテナ１０８とを有する。
【００４４】
携帯端末装置１５０は、アンテナ１５１と、変調送信部１０７から送信された変調信号を受信して復調する受信復調部１５２と、受信復調部１５２で復調した信号からＰＩ、付加ＰＩ及びその他の信号を分離する多重分離部１５３と、多重分離部１５３で分離したＰＩを受信するページングインジケータ受信部（以下「ＰＩ受信部」という）１５４と、多重分離部１５３で分離した付加ＰＩを受信する付加ページングインジケータ受信部（以下「付加ＰＩ受信部」という）１５５と、多重分離部１５３で分離したその他の信号を受信する他信号受信部１５６と、受信したＰＩ及び付加ＰＩから着信の有無を判定する着信判定部１５９とを有する。
【００４５】
これらの構成のうち、ＰＩ生成部１０１、他信号生成部１０３、多重化部１０６、変調送信部１０７、アンテナ１０８、アンテナ１５１、受信復調部１５２、多重分離部１５３、ＰＩ受信部１５４及び他信号受信部１５６は、従来のＷ−ＣＤＭＡシステムのものと基本的に同じである。本実施の形態１において従来のＷ−ＣＤＭＡシステムと異なる構成は、無線アクセスネットワーク１００が、ＰＩ生成部１０１のほかに付加ＰＩ生成部１０２を有し、携帯端末装置１５０が、ＰＩ受信部１５４のほかに付加ＰＩ受信部１５５を有し、着信判定部１５９が、ＰＩのほかに付加ＰＩを利用して着信判定する点にある。
【００４６】
なお、無線アクセスネットワーク１００のＰＩ生成部１０１と付加ＰＩ生成部１０２は、図１には別々の構成として示しているが、ハードウエアとしては別々のものを用いることもできるし、同一のものを共用し時分割して用いることもできる。同様に、携帯端末装置１５０のＰＩ受信部と付加ＰＩ受信部も、図１には別々の構成として示しているが、ハードウエアとしては別々のものを用いることもできるし、同一のものを共用し時分割して用いることもできる。また、無線アクセスネットワーク１００及び携帯端末装置１５０のこれらの構成は、専用のＬＳＩ等のハードウエアを利用して実現することもできるし、汎用のＣＰＵ、ＲＯＭ若しくはＲＡＭ等のハードウエア及びソフトウエアを利用して実現することもできる。
【００４７】
次に、図１の無線通信システムにおける付加ＰＩについて、図２のＰＩＣＨのフレーム構成図を用いて説明する。
【００４８】
図２に示すように、１フレームには、３００ビットが格納されており、送信時間は１０ｍｓである。１フレームのうちの先頭から２８８ビットまでは、従来のＰＩＣＨと同様に、複数のＰＩが格納されている。複数のＰＩとは、Ｐ0、Ｐ1、Ｐ2、Ｐ3、・・・、ＰNp-1のＮｐ個のＰＩのことである。本実施の形態１では、これに加えて、従来のＰＩＣＨでは未使用であったフレームの末尾の１２ビットを付加ＰＩとして使用する。こうすることによって、Ｗ−ＣＤＭＡ方式に付加ＰＩを適用できるようにする。なお、付加ＰＩのビット数は、Ｎｐの値等によって変更し、場合によってはフレームの末尾の１２ビットを全ては使用しないこととしてもよい。すなわち、付加ＰＩのビット数は、１ビット以上で１２ビット以内としてもよい。
【００４９】
本実施の形態１では、付加ＰＩの適用対象とする携帯端末装置１５０はＰＩＣＨのフレーム内の特定の位置のＰＩ群に属する携帯端末装置１５０とする。具体的にはＰＩＣＨのフレーム内の最後のＰＩ群、すなわち図２のＰNp-1のＰＩ群に属する携帯端末装置１５０を付加ＰＩの適用対象とする。このように、ＰＩＣＨのフレーム内の特定の位置のＰＩ群に属する携帯端末装置１５０を付加ＰＩの適用対象とすることで、無線アクセスネットワーク１００と携帯端末装置１５０との間の信号のやり取りを追加せずに、付加ＰＩを利用できるようにする。なお、ＰＩＣＨのフレーム内の他の位置のＰＩ群に属する携帯端末装置１５０を付加ＰＩの適用対象としてもよい。
【００５０】
なお、本実施の形態１の無線通信システムは、付加ＰＩとして、付加ＰＩが適用されるＰＩ群用のＰＩと同一の符号を使用する。こうすることによって、付加ページングインジケータの生成を簡単化することができる。
【００５１】
また、各ＰＩ群が受信するＰＩのフレーム内の位置（Ｐq）は、Ｗ−ＣＤＭＡ方式においては、５１２フレーム周期で移動する。
【００５２】
次に、上記の無線通信システムの着信判定の動作について、図３を参照して説明する。
【００５３】
無線アクセスネットワーク１００は、ＰＩ生成部１０１でＰＩを生成し、付加ＰＩ生成部１０２で付加ＰＩを生成する。このとき、付加ＰＩの適用対象とするのは、ＰＩＣＨのフレーム内の最後のＰＩ群、すなわちＰNp-1のＰＩ群に属する携帯端末装置１５０である。また、付加ＰＩとして、付加ＰＩが適用されるＰＩ群用のＰＩと同一の符号を使用する。さらに他信号生成部１０３で、その他の信号を生成する。ここで、その他の信号には、Ｐ−ＣＣＰＣＨ（Ｐｒｉｍａｒｙ−Ｃｏｍｍｏｎ  Ｃｏｎｔｒｏｌ  Ｐｈｙｓｉｃａｌ  Ｃｈａｎｎｅｌ）、Ｓ−ＣＣＰＣＨ及びＣＰＩＣＨ（Ｃｏｍｍｏｎ  Ｐｉｌｏｔ  Ｃｈａｎｎｅｌ）等の従来のＷ−ＣＤＭＡ方式の無線通信システムにおいて利用されているＰＩＣＨ以外の信号と基本的に同じものを全て含むものとする。次に多重化部１０６は、ＰＩ、付加ＰＩ及びその他の信号を多重化する。次に変調送信部１０７は多重化された信号を変調し、変調信号を送信する。送信された変調信号は、アンテナ１０８で電波に変換されて放射される。
【００５４】
携帯端末装置１５０は、所定の間欠受信周期で無線部の電力の供給を再開し、ＰＩ及び付加ＰＩの受信を行う。すなわち、アンテナ１５１が、放射された電波を変調信号に変換し、受信復調部１５２が、送信された変調信号を受信して復調する。次に多重分離部１５３は、受信復調部１５２で復調した信号からＰＩ、付加ＰＩ及びその他の信号を分離する。次に分離されたＰＩ、付加ＰＩ及びその他の信号は、ＰＩ受信部１５４、付加ＰＩ受信部１５５及び他信号受信部１５６でそれぞれ受信される。次に、携帯端末装置１５０が属するＰＩがＰＩＣＨのフレーム内の最後のＰＩ群（ＰNp-1）の位置になった場合は、付加ＰＩの適用対象になるので、着信判定部１５９が、受信したＰＩと付加ＰＩとから着信の有無を判定する。すなわち、復調処理で得られたＰＩと付加ＰＩのＩ成分とＱ成分をそれぞれ加算（同相加算）し（各々加算した値をそれぞれＩPI＋ＩAPIとＱPI＋ＱAPIとする）、ＩPI＋ＱPI＋ＩAPI＋ＱAPIの値を閾値である零と比較することによって着信判定を行う。具体的には、ＩPI＋ＱPI＋ＩAPI＋ＱAPIの値が零又は正のとき着信なし、負のとき着信ありと判定する。このようにＰＩのＩ成分とＱ成分であるＩPIとＱPIのほかに付加ＰＩのＩ成分とＱ成分であるＩAPIとＱAPIも加算することによって、受信する信号の希望波信号であるＰＩ及び付加ＰＩの電力のビットあたりの平均値はＰＩだけの場合と実質的に同じままで、雑音信号の電力のビットあたりの平均値をＰＩだけの場合よりも小さくできるので、受信品質の指標である雑音信号の電力に対する希望波信号の電力の比ＥC／Ｎ0を大きくすることができる。
【００５５】
なお、各携帯端末装置１５０がおかれた電波伝播環境によっては、受信品質の指標である受信する信号の雑音信号の電力に対する希望波信号の電力の比ＥC／Ｎ0が十分大きい場合もあるが、携帯端末装置１５０は、ＰＩ受信部１５４で受信したＰＩの受信品質を測定して、付加ＰＩを用いるかどうかの判断をすることによって、そのような場合には、付加ＰＩの適用対象であっても、付加ＰＩを受信せず、ＰＩだけで着信の有無判定を行うこともできる。
【００５６】
また、携帯端末装置１５０が属するＰＩがＰＩＣＨのフレーム内の最後のＰＩ群にない場合は、付加ＰＩの適用対象にならないので、従来どおり、着信判定部１５９が、受信したＰＩのみから着信の有無を判定する。
【００５７】
携帯端末装置１５０の着信判定部１５９が着信ありと判定した場合、そのＰＩ群に属する携帯端末装置１５０は、ＰＩに関連づけられたＳ−ＣＣＰＣＨの対応するフレーム内の対応するＰＣＨの受信を行い、その携帯端末装置１５０宛ての着信情報があるかどうかの判定を行う。着信情報があるときには、アプリケーション用ＣＰＵ等の携帯端末装置１５０内の必要な部分への電力の供給を再開する制御を行う。一方、着信なしと判定した場合には、次回のＰＩＣＨの受信まで無線部やアプリケーション用ＣＰＵ等の携帯端末装置１５０内の不要な部分への電力の供給を停止し、待ち受け時の消費電力の低減を図る。
【００５８】
このとき、本実施の形態１では、ＰＩのほかに付加ＰＩも加算することで、受信品質の指標である雑音信号の電力に対する希望波信号の電力の比ＥC／Ｎ0を大きくすることができ、その結果、携帯端末装置１５０の着信の誤検出率が低減され、着信が無いのに誤ってＰＣＨの受信を行う頻度が低減するので、待ち受け時の消費電力の低減を図ることができる。また同時に、ＰＩのほかに付加ＰＩから着信の有無を判定することによって、検出見逃し率が低減され、着信があるのにＰＣＨの受信を行わない頻度が低減するので、着信待ち時間の短縮を図ることができる。
【００５９】
以上のように、本実施の形態１の無線通信システムによれば、無線アクセスネットワーク１００と携帯端末装置１５０との間の信号のやり取りを追加せずに、ＰＩのほかに付加ＰＩも加算することで、受信品質の指標である雑音信号の電力に対する希望波信号の電力の比ＥC／Ｎ0を大きくすることができ、その結果、携帯端末装置１５０が着信の有無の判定を誤る確率が低くできるので、携帯端末装置１５０の着信の誤検出率と検出見逃し率を低減させることができ、それによって携帯端末装置１５０の待ち受け時の消費電力の低減と着信待ち時間の短縮をする無線通信システムを実現することができる。
【００６０】
（実施の形態２）
本実施の形態２では、Ｗ−ＣＤＭＡ方式において、携帯端末装置のうち特定のページングインジケータ群に属する携帯端末装置を付加ＰＩの適用対象とする無線通信システムについて説明する。
【００６１】
無線通信システムの構成については、図１に示すブロック図と同様であるので、説明を省略する。
【００６２】
本実施の形態２では、付加ＰＩの適用対象とする携帯端末装置は、特定のページングインジケータ群に属する携帯端末装置とする。具体的には、あらかじめ登録しておいた携帯端末装置のみを付加ＰＩの適用対象とする。あらかじめ登録しておいた携帯端末装置のみを付加ＰＩの適用対象とすることによって、特定の携帯端末装置について、付加ＰＩを利用できるようにする。
【００６３】
次に、必要な手順について、図４と図５のシーケンス図を参照して説明する。携帯端末装置がセルにキャンプオン（ｃａｍｐ  ｏｎ）しているか否かによって、手順が異なる。ここで、キャンプオンするとは、ある無線アクセスネットワークに属するセルを携帯端末装置がアクティブなセルとすることをいう。
【００６４】
はじめに、携帯端末装置が既にセルにキャンプオンしている場合について説明する。図４に示すように、まず無線アクセスネットワーク１００は、キャンプオンしている携帯端末装置が、あらかじめ登録されている携帯端末装置１５０かどうか判断する（図示せず）。そして付加ＰＩの適用対象の携帯端末装置１５０である場合には、無線アクセスネットワークは、携帯端末装置１５０に対してＰＩＣＨ、ＰＣＨを通して臨時識別番号（ＩＭＳＩ＿ＴＭＰ）を通知する。ここで、臨時識別番号は、付加ＰＩ適用対象のＰＩ群に属する臨時の識別番号である。これに対して、携帯端末装置１５０は、無線アクセスネットワーク１００に対してＲＡＣＨ（Ｒａｎｄｏｍ  Ａｃｃｅｓｓ  Ｃｈａｎｎｅｌ）で確認メッセージを通知する。その後、無線アクセスネットワーク１００は、ＢＣＨ（Ｂｒｏａｄｃａｓｔ  Ｃｈａｎｎｅｌ）を通して定期メッセージで付加ＰＩ適用対象のＰＩ群を通知する。ここで、ＲＡＣＨとＢＣＨはそれぞれＰＲＡＣＨ（Ｐｈｙｓｉｃａｌ  Ｒａｎｄｏｍ  Ａｃｃｅｓｓ  Ｃｈａｎｎｅｌ）とＰ−ＣＣＰＣＨにマッピングされている従来のＷ−ＣＤＭＡ方式における信号と基本的に同じものである。
【００６５】
次に、携帯端末装置１５０がまだセルにキャンプオンしていない場合について説明する。図５に示すように、まず携帯端末装置１５０は、無線アクセスネットワーク１００に対して、ＲＡＣＨを通して臨時識別番号を申請する。これに対して、無線アクセスネットワーク１００は、申請のあった携帯端末装置１５０が、あらかじめ登録されている携帯端末装置１５０かどうか判断する（図示せず）。そして、付加ＰＩの適用対象の携帯端末装置１５０である場合には、無線アクセスネットワーク１００は、携帯端末装置１５０に対してＦＡＣＨ（Ｆｏｒｗａｒｄ  Ａｃｃｅｓｓ  Ｃｈａｎｎｅｌ）を通して臨時識別番号を通知する。なお、これに対して、携帯端末装置１５０は、無線アクセスネットワーク１００に対してＲＡＣＨで確認メッセージを通知することもできる。その後、無線アクセスネットワーク１００は、ＢＣＨを通して定期メッセージで付加ＰＩ適用対象のＰＩ群を通知する。ここで、ＦＡＣＨはＳ−ＣＣＰＣＨにマッピングされている従来のＷ−ＣＤＭＡ方式における信号と基本的に同じものである。
【００６６】
次に、本実施の形態２の無線通信システムにおける付加ＰＩについて、図６に示すＰＩＣＨのフレーム構成図を用いて実施の形態１と異なる点を中心に説明する。
【００６７】
本実施の形態２では、実施の形態１とは異なり、携帯端末装置１５０のうち特定のページングインジケータ群に属する携帯端末装置１５０を付加ＰＩの適用対象とする。具体的には、あらかじめ登録しておいた携帯端末装置１５０のみを付加ＰＩの適用対象とする。受信するＰＩのフレーム内の位置（Ｐq）は５１２フレーム周期で移動するので、付加ＰＩの適用対象となるＰＩ群のＰＩＣＨのフレーム内の位置はこの周期で移動することになる。
【００６８】
次に、本実施の形態２の無線通信システムにおける着信判定の動作について、図７を参照して実施の形態１と異なる点を中心に説明する。
【００６９】
無線アクセスネットワーク１００は、ＰＩ生成部１０１でＰＩを生成し、付加ＰＩ生成部１０２で付加ＰＩを生成する。このとき、付加ＰＩの適用対象とするのは、特定のページングインジケータ群に属する携帯端末装置１５０である。また、付加ＰＩとして、付加ＰＩが適用されるＰＩ群用のＰＩと同一の符号を使用する。さらに他信号生成部１０３で、その他の信号を生成する。ここで、その他の信号には、Ｐ−ＣＣＰＣＨ、Ｓ−ＣＣＰＣＨ及びＣＰＩＣＨ等の従来のＷ−ＣＤＭＡ方式の無線通信システムにおいて利用されているＰＩＣＨ以外の信号と基本的に同じものを全て含むものとする。
【００７０】
携帯端末装置１５０は、所定の間欠受信周期で無線部の電力の供給を再開し、図７に示すように、ＰＩ（図７のＰq）及び付加ＰＩの受信を行う。そして着信判定部１５９が、受信したＰＩと付加ＰＩとから着信の有無を判定する。すなわち、復調処理で得られたＰＩと付加ＰＩのＩ成分とＱ成分をそれぞれ加算（同相加算）し（各々加算した値をそれぞれＩPI＋ＩAPIとＱPI＋ＱAPIとする）、ＩPI＋ＱPI＋ＩAPI＋ＱAPIの値を閾値である零と比較することによって着信判定を行う。具体的には、ＩPI＋ＱPI＋ＩAPI＋ＱAPIの値が零又は正のとき着信なし、負のとき着信ありと判定する。このようにＰＩのＩ成分とＱ成分であるＩPIとＱPIのほかに付加ＰＩのＩ成分とＱ成分であるＩAPIとＱAPIも加算することによって、受信する信号の希望波信号であるＰＩ及び付加ＰＩの電力のビットあたりの平均値はＰＩだけの場合と実質的に同じままで、雑音信号の電力のビットあたりの平均値をＰＩだけの場合よりも小さくできるので、受信品質の指標である雑音信号の電力に対する希望波信号の電力の比ＥC／Ｎ0を大きくすることができる。
【００７１】
なお、各携帯端末装置１５０がおかれた電波伝播環境によっては、受信品質の指標である受信する信号の雑音信号の電力に対する希望波信号の電力の比ＥC／Ｎ0が十分大きい場合もあるが、携帯端末装置１５０は、ＰＩ受信部１５４で受信したＰＩの受信品質を測定して、付加ＰＩを用いるかどうかの判断をすることによって、そのような場合には、付加ＰＩの適用対象であっても、付加ＰＩを受信せず、ＰＩだけで着信の有無判定を行うこともできる。
【００７２】
着信判定後の動作は実施の形態１と同様である。このとき、ＰＩのほかに付加ＰＩから着信の有無を判定することによって、携帯端末装置１５０の着信の誤検出率が低減され、着信が無いのに誤ってＰＣＨの受信を行う頻度が低減するので、待ち受け時の消費電力の低減を図ることができる。また同時に、ＰＩのほかに付加ＰＩから着信の有無を判定することによって、検出見逃し率が低減され、着信があるのにＰＣＨの受信を行わない頻度が低減するので、着信待ち時間の短縮を図ることができる。
【００７３】
以上のように、本実施の形態２の無線通信システムによれば、特定の携帯端末装置１５０について、ＰＩのほかに付加ＰＩも加算することで、受信品質の指標である雑音信号の電力に対する希望波信号の電力の比ＥC／Ｎ0を大きくすることができ、その結果、携帯端末装置１５０が着信の有無の判定を誤る確率が低くできるので、携帯端末装置１５０の着信の誤検出率と検出見逃し率を低減させることができ、それによって携帯端末装置１５０の待ち受け時の消費電力の低減と着信待ち時間の短縮をする無線通信システムを実現することができる。
【００７４】
（実施の形態３）
本実施の形態３では、Ｗ−ＣＤＭＡ方式において、携帯端末装置１５０のうち各ＰＩ群の着信率に基づいて、着信率が最も低い携帯端末装置１５０の属するＰＩ群又は平均着信率が最も低いＰＩ群(平均着信率はＰＩ群に属するすべての携帯端末装置１５０の着信率の平均値である)に属する携帯端末装置１５０を付加ＰＩの適用対象とする無線通信システムについて説明する。
【００７５】
本実施の形態３における無線通信システムは、図１に示す実施の形態１とは無線アクセスネットワークの構成が異なっている。
【００７６】
図８に示すように、本実施の形態３の無線通信システムにおける無線アクセスネットワーク８００は、図１に示す無線アクセスネットワーク１００の構成に加えて、携帯端末装置１５０からの信号を受信して復調する受信復調部８０９と、受信復調部８０９で復調した信号を各信号に分離する多重分離部８１０と、多重分離部８１０で分離した信号に含まれる着信応答通知からＰＩに対する着信率を測定する着信率測定部８１１と、着信率測定手段で測定した着信率に基づいて携帯端末装置に対して通知する付加ＰＩ不使用又は付加ＰＩの適用対象を決定する付加ページングインジケータ適用対象信号生成部（以下「付加ＰＩ適用対象信号生成部」という）８１２とを有する。
【００７７】
次に、必要な手順について、図９に示すシーケンス図及び図１０に示すフローチャートを参照して説明する。
【００７８】
図９に示すように、無線アクセスネットワーク８００は、付加ＰＩ適用対象信号生成部８１２を用いて、携帯端末装置１５０に対してＢＣＨを通して定期メッセージで付加ＰＩ不使用又は付加ＰＩ適用対象のＰＩ群を通知する。
【００７９】
このような通知を行うために、無線アクセスネットワーク８００は、付加ＰＩ不使用又は付加ＰＩ適用対象のＰＩ群の判断を行う。この手順を図１０のフローチャートに示す。まず無線アクセスネットワーク８００の着信率測定部８１１は、過去一定時間内（ここではＴ１とする）の各ＰＩ群の携帯端末装置１５０の着信率又は各ＰＩ群の平均着信率を測定する（ステップＳ１００１）。次に、付加ＰＩ適用対象信号生成部８１２は、この中で最も低い着信率又は最も低い平均着信率が予め決められた閾値以上であるか判断する（ステップＳ１００２）。もし、最も低い着信率又は最も低い平均着信率が予め決められた閾値以上であれば（ステップＳ１００２、ＹＥＳ）、付加ＰＩ適用対象信号生成部８１２は、付加ＰＩ不使用と判断し（ステップＳ１００３）、付加ＰＩ不使用をＢＣＨで定期メッセージとして全ての携帯端末装置１５０に通知する（ステップＳ１００４）。他方、最も低い着信率又は最も低い平均着信率が予め決められた閾値以上でなければ（ステップＳ１００２、ＮＯ）、付加ＰＩ適用対象信号生成部８１２は、着信率が最も低い携帯端末装置１５０の属するＰＩ群又は平均着信率が最も低いＰＩ群を付加ＰＩ適用対象のＰＩ群に決定し（ステップＳ１００５）、付加ＰＩ適用対象のＰＩ群をＢＣＨで定期メッセージとして全ての携帯端末装置１５０に通知する（ステップＳ１００６）。このような手順によって、各ＰＩ群の着信率に基づいて、着信率が最も低い携帯端末装置１５０の属するＰＩ群又は平均着信率が最も低いＰＩ群を付加ＰＩ適用対象とすることができる。
【００８０】
本実施の形態３の無線通信システムにおける付加ＰＩと着信判定の動作については、上記実施の形態２の無線通信システムにおける付加ＰＩと同様である。このとき、ＰＩのＩ成分とＱ成分であるＩPIとＱPIのほかに付加ＰＩのＩ成分とＱ成分であるＩAPIとＱAPIも加算することによって、受信する信号の希望波信号であるＰＩ及び付加ＰＩの電力のビットあたりの平均値はＰＩだけの場合と実質的に同じままで、雑音信号の電力のビットあたりの平均値をＰＩだけの場合よりも小さくできるので、受信品質の指標である雑音信号の電力に対する希望波信号の電力の比ＥC／Ｎ0を大きくすることができる。
【００８１】
なお、各携帯端末装置１５０がおかれた電波伝播環境によっては、受信品質の指標である受信する信号の雑音信号の電力に対する希望波信号の電力の比ＥC／Ｎ0が十分大きい場合もあるが、携帯端末装置１５０は、ＰＩ受信部１５４で受信したＰＩの受信品質を測定して、付加ＰＩを用いるかどうかの判断をすることによって、そのような場合には、付加ＰＩの適用対象であっても、付加ＰＩを受信せず、ＰＩだけで着信の有無判定を行うこともできる。
【００８２】
以上のように、本実施の形態３の無線通信システムによれば、無線アクセスネットワーク８００が着信率測定部８１１と付加ＰＩ適用対象信号生成部８１２とを有することにより、各ＰＩ群に属する携帯端末装置１５０の着信率又は各ＰＩ群の平均着信率に基づいて、着信率が最も低い携帯端末装置１５０の属するＰＩ群又は平均着信率が最も低いＰＩ群に属する携帯端末装置１５０を付加ＰＩ適用対象として、ＰＩのほかに付加ＰＩも加算することで、受信品質の指標である雑音信号の電力に対する希望波信号の電力の比ＥC／Ｎ0を大きくすることができ、その結果、携帯端末装置１５０が着信の有無の判定を誤る確率が低くできるので、携帯端末装置１５０の着信の誤検出率と検出見逃し率を低減させることができ、それによって携帯端末装置１５０の待ち受け時の消費電力の低減と着信待ち時間の短縮をする無線通信システムを実現することができる。
【００８３】
（実施の形態４）
本実施の形態４では、Ｗ−ＣＤＭＡ方式において、携帯端末装置１１５０のうち各携帯端末装置１１５０の受信する信号の雑音信号の電力に対する希望波信号の電力の比ＥC／Ｎ0で表される受信品質に基づいて、受信品質が最も低い携帯端末装置１１５０の属するＰＩ群又は平均受信品質が最も低いＰＩ群(平均受信品質はＰＩ群に属するすべての携帯端末装置１５０の受信品質の平均値である)に属する携帯端末装置１１５０を付加ＰＩの適用対象とする無線通信システムについて説明する。
【００８４】
本実施の形態４における無線通信システムは、図１に示す実施の形態１とは携帯端末装置の構成が異なっている。
【００８５】
図１１に示すように、本実施の形態４の無線通信システムにおける携帯端末装置１１５０は、図１に示す携帯端末装置１５０の構成に加えて、ＰＩ受信部１５４で受信したＰＩの雑音信号の電力に対する希望波信号の電力の比ＥC／Ｎ0で表される受信品質を測定する受信品質測定部１１６０と、受信品質測定部１１６０の受信品質測定結果と他信号受信部１５６で受信した無線アクセスネットワークからの他の信号に基づいて付加ＰＩの受信をすべきかどうか判断する付加ページングインジケータ受信判断部（付加ＰＩ受信判断部）１１６１と、付加ＰＩ受信判断部１１６１で付加ＰＩを受信すべきであると判断し、かつ、携帯端末装置１１５０が付加ＰＩ適用対象のＰＩ群に属していない場合に付加ＰＩの使用の申請信号を生成する付加ページングインジケータ使用申請信号生成部（付加ＰＩ使用申請信号生成部）１１６２と、送信すべき各信号を多重化する多重化部１１６３と、多重化部１１６３で多重化した信号を変調して送信する変調送信部１１６４とを有する。
【００８６】
次に、必要な手順について、図１２に示すシーケンス図及び図１３並びに図１４に示すフローチャートを参照して説明する。
【００８７】
図１２に示すように、携帯端末装置１１５０の付加ＰＩ使用申請信号生成部１１６２は、受信品質測定部１１６０の受信品質の測定結果等に基づいて、無線アクセスネットワーク１００に対して、ＲＡＣＨを通して付加ＰＩの適用の申請を通知する。これに対して、無線アクセスネットワークは、付加ＰＩ適用対象信号生成部８１２を用いて、各携帯端末装置１１５０からの申請の通知に含まれている受信品質の情報に基づいて、付加ＰＩ不使用又は受信品質が最も低い携帯端末装置１１５０の属するＰＩ群又は平均受信品質が最も低いＰＩ群に属する携帯端末装置１１５０を付加ＰＩの適用対象と決定する。そして、無線アクセスネットワークは、付加ＰＩ適用対象信号生成部８１２を用いて、携帯端末装置１１５０に対してＢＣＨを通して定期メッセージで付加ＰＩ適用対象のＰＩ群を通知する。
【００８８】
このときの、携帯端末装置１１５０と無線アクセスネットワーク１００の動作手順をそれぞれ図１３と図１４のフローチャートに示す。
【００８９】
携帯端末装置１１５０は、図１３に示すように、まず過去一定時間内（ここではＴ３とする）のＰＩの受信品質を測定する（ステップＳ１３０１）。次に、この受信品質が予め決められた閾値以下であるか判断する（ステップＳ１３０２）。もし、受信品質が予め決められた閾値以下であれば（ステップＳ１００２、ＹＥＳ）、ＲＡＣＨを通して付加ＰＩの適用の申請を通知し（ステップＳ１３０３）、付加ＰＩ適用対象のＰＩ群をＢＣＨを通してＲＡＮからの定期メッセージとして受信し（ステップＳ１３０４）、終了する。そして携帯端末装置１１５０が付加ＰＩの適用対象のＰＩ群に属していれば付加ＰＩの受信を行う。もし、受信品質が予め決められた閾値以下でなければ（ステップＳ１００２、ＮＯ）処理を終了する。
【００９０】
無線アクセスネットワーク１００は、図１４に示すように、まずＲＡＣＨで付加ＰＩの適用の申請を受信する（ステップＳ１４０１）。次に、付加ＰＩ適用対象信号生成部８１２を用いて、付加ＰＩ適用の申請があったかどうか判断する（ステップＳ１４０２）。もし、付加ＰＩ適用の申請があったのであれば（ステップＳ１４０２、ＹＥＳ）、付加ＰＩ適用対象信号生成部８１２を用いて、受信品質が最も悪い携帯端末装置１１５０の属するＰＩ群又は平均受信品質が最も低いＰＩ群を付加ＰＩ適用ＰＩ群に決定し(ステップＳ１４０３)、付加ＰＩ適用ＰＩ群をＢＣＨで無線アクセスネットワーク１００からの定期メッセージとして送信し（ステップＳ１４０４）、終了する。もし、付加ＰＩ適用の申請がなければ（ステップＳ１４０２、ＮＯ）、終了する。
【００９１】
このような手順によって、各携帯端末装置１１５０の受信品質に基づいて、受信品質が最も低い携帯端末装置１１５０の属するＰＩ群又は平均受信品質が最も低いＰＩ群に属する携帯端末装置１１５０を付加ＰＩの適用対象とすることができる。
【００９２】
なお、付加ＰＩ適用の申請がなければ、無線アクセスネットワーク１００は、付加ＰＩ適用対象信号生成部８１２を用いて、付加ＰＩ不使用の決定をし、ＢＣＨで無線アクセスネットワークからの定期メッセージとして送信することもできる。
【００９３】
本実施の形態４の無線通信システムにおける付加ＰＩと着信判定の動作については、上記実施の形態２及び実施の形態３の無線通信システムにおける付加ＰＩと同様である。このとき、ＰＩのＩ成分とＱ成分であるＩPIとＱPIのほかに付加ＰＩのＩ成分とＱ成分であるＩAPIとＱAPIも加算することによって、受信する信号の希望波信号であるＰＩ及び付加ＰＩの電力のビットあたりの平均値はＰＩだけの場合と実質的に同じままで、雑音信号の電力のビットあたりの平均値をＰＩだけの場合よりも小さくできるので、受信品質の指標である雑音信号の電力に対する希望波信号の電力の比ＥC／Ｎ0を大きくすることができる。
【００９４】
なお、各携帯端末装置１１５０がおかれた電波伝播環境によっては、受信品質の指標である受信する信号の雑音信号の電力に対する希望波信号の電力の比ＥC／Ｎ0が十分大きい場合もあるが、携帯端末装置１１５０は、ＰＩ受信部１５４で受信したＰＩの受信品質を測定して、付加ＰＩ受信判断部１１６１が、付加ＰＩを用いるかどうかの判断をすることによって、そのような場合には、付加ＰＩの適用対象であっても、付加ＰＩを受信せず、ＰＩだけで着信の有無判定を行うこともできる。
【００９５】
以上のように、本実施の形態４の無線通信システムによれば、携帯端末装置１１５０が受信品質測定部１１６０と、付加ＰＩ受信判断部１１６１と、付加ＰＩ使用申請信号生成部１１６２とを有することにより、各携帯端末装置１１５０の受信品質に基づいて、受信品質が最も低い携帯端末装置１１５０の属するＰＩ群又は平均受信品質が最も低いＰＩ群に属する携帯端末装置１１５０を付加ＰＩ適用対象として、ＰＩのほかに付加ＰＩも加算することで、受信品質の指標である雑音信号の電力に対する希望波信号の電力の比ＥC／Ｎ0を大きくすることができ、その結果、携帯端末装置１１５０が着信の有無の判定を誤る確率が低くできるので、携帯端末装置１１５０の着信の誤検出率と検出見逃し率を低減させることができ、それによって携帯端末装置１１５０の待ち受け時の消費電力の低減と着信待ち時間の短縮をする無線通信システムを実現することができる。
【００９６】
なお、前述の如く、本発明の幾つかの好適な実施の形態を説明したが、本発明の特許請求の範囲を外れない限り多様な変形が可能なことはもちろんである。例えば、本発明の実施の形態２において、あらかじめ登録しておいた携帯端末装置の代わりに携帯端末装置のうち着信率または受信品質が所定閾値以下の携帯端末装置を付加ＰＩ適用対象携帯端末装置とすることもできる。
【産業上の利用可能性】
【００９７】
本発明にかかる無線通信システムは、携帯端末装置の着信の誤検出率と検出見逃し率を低減し、それによって携帯端末装置の待ち受け時の消費電力の低減と着信待ち時間の短縮をするという効果を有し、ページングインジケータチャネルを用いて着信判定を行う無線通信システム、無線アクセスネットワーク、携帯端末装置、及び無線通信方法等として有用である。
【図面の簡単な説明】
【００９８】
【図１】本発明の実施の形態１における無線通信システムの構成を示すブロック図
【図２】本発明の実施の形態１における無線通信システムの付加ＰＩを説明するためのＰＩＣＨのフレーム構成図
【図３】本発明の実施の形態１における無線通信システムの着信判定の動作を説明する図
【図４】本発明の実施の形態２における無線通信システムの携帯端末装置と無線アクセスネットワークの動作を説明するシーケンス図
【図５】本発明の実施の形態２における無線通信システムの携帯端末装置と無線アクセスネットワークの動作を説明するシーケンス図
【図６】本発明の実施の形態２における無線通信システムの付加ＰＩを説明するためのＰＩＣＨのフレーム構成図
【図７】本発明の実施の形態２における無線通信システムの着信判定の動作を説明する図
【図８】本発明の実施の形態３における無線通信システムの無線アクセスネットワークの構成を示すブロック図
【図９】本発明の実施の形態３における無線通信システムの携帯端末装置と無線アクセスネットワークの動作を説明するシーケンス図
【図１０】本発明の実施の形態３における無線通信システムの無線アクセスネットワークの付加ＰＩ不使用又は付加ＰＩ適用対象のＰＩ群の判断を行うフローチャート
【図１１】本発明の実施の形態４における無線通信システムの携帯端末装置の構成を示すブロック図
【図１２】本発明の実施の形態４における無線通信システムの携帯端末装置と無線アクセスネットワークの動作を説明するシーケンス図
【図１３】本発明の実施の形態４における無線通信システムの携帯端末装置の動作を説明するフローチャート
【図１４】本発明の実施の形態４における無線通信システムの無線アクセスネットワークの動作を説明するフローチャート
【図１５】従来の無線通信システムにおけるＰＩＣＨのフレーム構成図
【図１６】従来の無線通信システムにおける着信判定の動作を説明する図
【符号の説明】
【００９９】
１００、８００  無線アクセスネットワーク
１０１  ページングインジケータ生成部
１０２  付加ページングインジケータ生成部
１０３  他信号生成部
１０６、１１６３  多重化部
１０７、１１６４  変調送信部
１０８  アンテナ
１５０、１１５０  携帯端末装置
１５１  アンテナ
１５２、８０９  受信復調部
１５３、８１０  多重分離部
１５４  ページングインジケータ受信部
１５５  付加ページングインジケータ受信部
１５６  他信号受信部
１５９  着信判定部
８１１  着信率測定部
８１２  付加ページングインジケータ適用対象信号生成部
１１６０  受信品質測定部
１１６１  付加ページングインジケータ受信判断部
１１６２  付加ページングインジケータ使用申請信号生成部
【図１】
2006304143.tif 000003
【図２】
2006304143.tif 000004
【図３】
2006304143.tif 000005
【図４】
2006304143.tif 000006
【図５】
2006304143.tif 000007
【図６】
2006304143.tif 000008
【図７】
2006304143.tif 000009
【図８】
2006304143.tif 000010
【図９】
2006304143.tif 000011
【図１０】
2006304143.tif 000012
【図１１】
2006304143.tif 000013
【図１２】
2006304143.tif 000014
【図１３】
2006304143.tif 000015
【図１４】
2006304143.tif 000016
【図１５】
2006304143.tif 000017
【図１６】
2006304143.tif 000018